(57)【要約】【課題】電力伝達効率を向上させ、構成部品を簡素化して組立生産性を向上させ、スプリング支持機構を迅速、安価に製造可能な限流型配線用遮断器の可動接触子アセンブリを提供する。【解決手段】可動接触子アセンブリは、電気的導電体で形成され、外箱に固定設置されるターミナルベース、交流の各相に複数設けられ、カム面部を有し、限流動作時に固定接触子からの分離方向に回動する可動接触子、可動接触子を両側から支持するホルダー板、可動接触子が、配線用遮断器の閉路状態時に固定接触子との接触方向に、限流動作時に固定接触子からの分離方向に付勢力を与える複数の第１スプリング、可動接触子の一端部の側面と対向して電気的に接続される複数の延長板部、可動接触子とターミナルベースを電気的に接続し、可動接触子又は延長板部側に曲げられる部分を有する複数のたわみ線板、可動接触子に密着するようたわみ線板に付勢力を与える第２スプリングを含む。【選択図】図７
2011151023.tif 000002
【特許請求の範囲】
【請求項１】
電気的導電体で形成され、支持基台を提供し、配線用遮断器の外箱に固定設置されるターミナルベースと、
前記ターミナルベースに接続ピンにより接続され、交流の各相毎に複数設けられ、カム面部を有し、前記配線用遮断器が接続された回路に事故電流が発生すると、電磁反発力により前記配線用遮断器の限流型固定接触子から分離される方向に回動する可動接触子と、
前記ターミナルベースに接続ピンにより接続され、前記可動接触子を両側から支持し、回動可能な１対のホルダー板と、
前記１対のホルダー板間に設けられ、前記配線用遮断器が閉路状態のときには前記可動接触子が前記限流型固定接触子と接触する方向に付勢力を与え、前記配線用遮断器が限流動作を行うときには前記可動接触子が前記限流型固定接触子から分離される方向に付勢力を与える複数の第１スプリングと、
前記ターミナルベースから延設され、前記可動接触子の一端部の側面と対向して設けられ、前記可動接触子と電気的に接続される複数の延長板部と、
前記ターミナルベースに固定的に接続される部分、及び前記可動接触子と前記延長板部との間に延びて前記可動接触子と前記ターミナルベースを電気的に接続して前記可動接触子側又は前記延長板部側に曲げられる部分を有する複数のたわみ線板と、
前記延長板部と前記たわみ線板との間に設置され、前記可動接触子に密着するように前記たわみ線板に付勢力を与える第２スプリングと
を含む限流型配線用遮断器の可動接触子アセンブリ。
【請求項２】
前記１対のホルダー板により支持され、前記第１スプリングの一端部を支持する第１スプリングホルダーと、
前記１対のホルダー板に両端部が挿入される支持ピンにより支持されて回動可能であり、前記第１スプリングの他端部を支持し、前記第１スプリングからの付勢力を前記可動接触子に伝達する第２スプリングホルダーと
をさらに含む、請求項１に記載の限流型配線用遮断器の可動接触子アセンブリ。
【請求項３】
前記第２スプリングホルダーは、
１対の側面板部と、
前記１対の側面板部を横方向に連結する連結板部と、
前記連結板部上に設けられて前記第１スプリングの他端部を支持する複数のスプリング支持突部と
を含む、請求項２に記載の限流型配線用遮断器の可動接触子アセンブリ。
【請求項４】
前記１対の側面板部間に回転可能に支持され、前記第１スプリングの付勢力を前記可動接触子のカム面部に伝達するローラをさらに含む、請求項３に記載の限流型配線用遮断器の可動接触子アセンブリ。
【請求項５】
前記たわみ線板は、
前記ターミナルベースに溶接されて固定される固定部と、
前記固定部から延設され、前記延長板部と前記可動接触子との間に挿入されてこれらを通電し、前記可動接触子側又は前記延長板部側に曲げられる可撓部と
を含む、請求項１に記載の限流型配線用遮断器の可動接触子アセンブリ。
【請求項６】
前記たわみ線板は、複数の導電材たわみ線で構成される、請求項１に記載の限流型配線用遮断器の可動接触子アセンブリ。
【請求項７】
前記１対のホルダー板に接続されて前記ホルダー板と共に回動可能であり、電気的絶縁材からなる絶縁ホルダーをさらに含む、請求項１に記載の限流型配線用遮断器の可動接触子アセンブリ。
【発明の詳細な説明】
【技術分野】
【０００１】
本発明は、配線用遮断器に関し、特に、相（極）毎に複数の接点を有する大容量限流型配線用遮断器の可動接触子アセンブリに関する。
【背景技術】
【０００２】
一般に、配線用遮断器（Molded Case Circuit Breaker; MCCB）は、電源と電気的負荷間の電気回路に事故電流、すなわち過電流、瞬時電流、短絡電流などが発生するとこれを遮断して負荷及び回路を保護する電気機器である。
【０００３】
特に、大容量配線用遮断器は、ビルや工場などの大口電力需要家で電力回路と負荷機器を事故電流から保護する配電設備として多く使用されている。
【０００４】
前述した配線用遮断器のうち、限流型配線用遮断器は、固定接触子がＵ字状に曲がった形状を有し、固定接触子を流れる電流の方向と可動接触子を流れる電流の方向が反対となる構造を有する配線用遮断器である。当該限流型配線用遮断器においては、事故電流の発生時にこれを検出するトリップ機構と、トリップ機構のトリガにより固定接触子から分離されるように、すなわちトリップするように、可動接触子を駆動する開閉機構（スイッチング機構）との連動動作が行われる前に、通電方向が反対である可動接触子と固定接触子間の電磁反発力により可動接触子を固定接触子から分離する限流動作が行われる。このような限流機能は、一般的なトリップ動作を行う前に大電流を制限できるので、配線用遮断器の遮断及び保護性能をより一層向上させる。
【０００５】
このような限流型配線用遮断器のうち、大容量限流型配線用遮断器は、通電電流容量が大きいことから、接続される交流、例えば三相交流の各相毎に複数の可動接触子と固定接触子を設置し、電流が複数の可動接触子と固定接触子を介して分かれて流れるようにする構成を採択している。
【０００６】
本発明は、このような大容量限流型配線用遮断器の可動接触子アセンブリに関するものであり、以下、大容量限流型配線用遮断器の可動接触子アセンブリの従来技術の一例を図１６〜図１８を参照して説明する。
【０００７】
図１６は、従来の限流型配線用遮断器の可動接触子アセンブリの構成を示す外形斜視図であり、図１７は、図１６の可動接触子アセンブリの内部構成を、ホルダーとスプリングホルダーを除去した状態で示す斜視図であり、図１８は、図１６の可動接触子アセンブリの正面図である。
【０００８】
同図に示すように、従来の限流型配線用遮断器の可動接触子アセンブリは、ターミナルベース１８、可動接触子１１、ホルダー１２、スプリングホルダー１３、キャッチ（catch）１６、スプリング支持ピン１５及びスプリング１４を含む。
【０００９】
ターミナルベース１８は、配線用遮断器が接続される交流回路の相毎に設けられ、可動接触子と電気的に接続される導電部材である。ターミナルベース１８は、配線用遮断器の外箱に固定設置され、外部の電源又は負荷に電気的に接続される。ターミナルベース１８は、図１８に示すように、ターミナルベース１８から延び、可動接触子１１に電気的に接続されるように接触する延長部１８ａを有する。
【００１０】
可動接触子１１は、配線用遮断器が接続される交流回路の相毎に複数設けられる。可動接触子１１は、ターミナルベース１８と接続ピン（符号なし）により接続され、前記接続ピンを中心に回動可能である。また、限流動作により可動接触子１１が回動したときに後述するローラ１７に接触する部分である、可動接触子１１の接触面１１ａは、可動接触子１１において接点が位置する部分を前端部とするとき、当該前端部の反対側、すなわち後端部（図１８の符号１１ｂを参照）の一外周面が図１７に示すように傾斜面及び曲面に形成されて設けられる。
【００１１】
ホルダー１２は、ターミナルベース１８に前記接続ピンにより可動接触子１１と同軸に接続され、可動接触子１１を開閉駆動する開閉機構（図示せず）からの開閉駆動力をリンクを介して受け、可動接触子１１と共に開路位置又は閉路位置に回動する。
【００１２】
スプリングホルダー１３は、ホルダー１２に固定的に接続され、スプリング支持ピン１５の一端部を支持する。図１６に示すように、スプリングホルダー１３は、スプリング支持ピン１５の一端部が貫通して出入りできるように、複数のピン貫通口を有する。
【００１３】
キャッチ１６は、ターミナルベース１８に固定的に結合され、可動接触子１１の回動経路内に位置して可動接触子１１の回動範囲を制限する。
【００１４】
図１６及び図１７に示すように、スプリング支持ピン１５は、配線用遮断器が接続される交流回路の相毎に複数設けられ、各スプリング支持ピン１５は、スプリングホルダー１３の前記ピン貫通口を貫通して延びる一端部と、可動接触子１１側に延びる他端部とを有する。各スプリング支持ピン１５は、棒状の部材であって、前記一端部はとがった形状を有し、前記他端部にはスプリング１４を支持するためのスプリングシート部（符号なし）と、回転可能に支持されるローラ１７が設けられる。ローラ１７が可動接触子の接触面１１ａに接触する位置に応じて各スプリング支持ピン１５は直線的に移動し、従って、各スプリング支持ピン１５の前記とがった一端部がスプリングホルダー１３の前記ピン貫通口を貫通して直線的に移動する。
【００１５】
スプリング１４は、コイルばねで構成され、スプリング支持ピン１５の外周面を囲むように配置される。限流動作時、可動接触子１１の回動によりローラ１７が可動接触子１１の接触面１１ａに接触する。すなわち、図１７において、ローラ１７が接触面１１ａ中の傾斜面下端部及び曲面部に接触すると、スプリング１４は伸張し、可動接触子１１が反時計方向に回動するように回転モーメントを与え（ここで、反時計方向は、可動接触子１１が固定接触子（図示せず）に接触する方向である）、ローラ１７が接触面１１ａ中の傾斜面上端部に近づくほど、スプリング１４は圧縮され、可動接触子１１に与える回転モーメントは減少する。
【００１６】
また、図１８は、配線用遮断器が接続される交流回路の相毎に３つの可動接触子１１が設置される構成例を示し、各可動接触子１１は後端部１１ｂを備える。ターミナルベース１８は、３つの可動接触子１１の後端部１１ｂを間に挿入できるように予め定められた間隔で設けられる複数の延長部１８ａを有する。可動接触子１１の後端部１１ｂとターミナルベース１８の延長部１８ａとは、電気的に接続できるように接触している。可動接触子１１の後端部１１ｂとターミナルベース１８の延長部１８ａとの間には、図示していないベルビルスプリング（もしくは、ベルビルワッシャ）又はウェーブワッシャが挿入され、ターミナルベース１８の延長部１８ａが可動接触子１１の後端部１１ｂと接触するように付勢力を与える。
【発明の概要】
【発明が解決しようとする課題】
【００１７】
ところが、このような従来の限流型配線用遮断器の可動接触子アセンブリは、可撓性がよくないターミナルベース１８の延長部１８ａをベルビルスプリング又はウェーブワッシャにより可動接触子１１の後端部１１ｂ側に押して接触させる構造であって、ターミナルベース１８の延長部１８ａと可動接触子１１の後端部１１ｂ間の接触面積が狭く、接触抵抗が大きいため、電力伝達の損失が発生するという問題があった。
【００１８】
また、従来の限流型配線用遮断器の可動接触子アセンブリは、可動接触子１１に接触圧力のために付勢力を与えるスプリング機構の構成である、３つのスプリング１４、３つのスプリング支持ピン１５、３つのローラ１７、ローラ１７とスプリング支持ピン１５の結合手段（スプリングシート、ピン接続延長板、及びローラ支持ピン）、並びにスプリングホルダー１３が、ホルダー１２内に全て設置されており、構成部品が多いため、組立生産性が低下するという問題があった。
【００１９】
さらに、従来の限流型配線用遮断器の可動接触子アセンブリは、スプリング支持ピン１５が長く形成された構成を有するので、スプリング１４の付勢力に耐える強度を得るために、スプリング支持ピン１５を旋盤により切削して製造しなければならなかった。従って、スプリング支持ピン１５の製造に長時間かかり、製造コストが高いという問題があった。
【００２０】
本発明は、このような従来の限流型配線用遮断器の可動接触子アセンブリの問題を解決するためになされたものであり、本発明の目的は、可動接触子とターミナルベース間の電力伝達効率を向上させ、構成部品を簡素化して組立生産性を向上させると共に、スプリング支持機構をプレスで迅速かつ安価に製造することのできる、限流型配線用遮断器の可動接触子アセンブリを提供することにある。
【課題を解決するための手段】
【００２１】
上記の本発明の目的は、電気的導電体で形成され、支持基台を提供し、配線用遮断器の外箱に固定設置されるターミナルベース１８０と、前記ターミナルベースに接続ピンにより接続され、交流の各相毎に複数設けられ、カム面部１１０ａ−１を有し、前記配線用遮断器が接続された回路に事故電流が発生すると、電磁反発力により前記配線用遮断器の限流型固定接触子１から分離される方向に回動する可動接触子１１０と、前記ターミナルベースに接続ピン２００により接続され、前記可動接触子を両側から支持し、回動可能な１対のホルダー板１２０と、前記１対のホルダー板間に設けられ、前記配線用遮断器が閉路状態のときには前記可動接触子が前記限流型固定接触子と接触する方向に付勢力を与え、前記配線用遮断器が限流動作を行うときには前記可動接触子が前記限流型固定接触子から分離される方向に付勢力を与える複数の第１スプリング１４０と、前記ターミナルベースから延設され、前記可動接触子の一端部の側面と対向して設けられ、前記可動接触子と電気的に接続される複数の延長板部１８１、１８３、１８５と、前記ターミナルベースに固定的に接続される部分、及び前記可動接触子と前記延長板部との間に延びて前記可動接触子と前記ターミナルベースを電気的に接続して前記可動接触子側又は前記延長板部側に曲げられる部分を有する複数のたわみ線板（flexible wire plate）１７０と、前記延長板部と前記たわみ線板との間に設置され、前記可動接触子に密着するように前記たわみ線板に付勢力を与える第２スプリングとを含む、本発明による限流型配線用遮断器の可動接触子アセンブリを提供することにより達成される。
【発明の効果】
【００２２】
本発明による限流型配線用遮断器の可動接触子アセンブリによれば、トリップ機構と開閉機構によるトリップ動作が行われるまでに回路の事故電流に対する限流効果を得ることができる。
【００２３】
また、本発明による限流型配線用遮断器の可動接触子アセンブリは、可動接触子とターミナルベースの延長板部をスプリングにより付勢される可撓性板により押して接触させる構成を有するので、可動接触子とターミナルベース間の接触抵抗が減少することにより、可動接触子とターミナルベース間の電力伝達効率が向上するという利点がある。
【００２４】
さらに、本発明による限流型配線用遮断器の可動接触子アセンブリは、従来に比べてローラ１５５及びローラ支持機構（第２スプリングホルダー１５０）の部品点数が少なくなり、構成部品が簡素化されて組立生産性が向上するという利点がある。
【００２５】
さらに、本発明による限流型配線用遮断器の可動接触子アセンブリは、第１スプリング支持機構（第１スプリングホルダー１３０、スプリング支持突部１４５、第２スプリングホルダー１５０）をプレスで製造することにより、迅速かつ安価に製造できるという利点がある。
【図面の簡単な説明】
【００２６】
【図１】本発明の好ましい実施形態による可動接触子アセンブリを含む大容量限流型配線用遮断器の構成を示す縦断面図である。
【図２】図１の配線用遮断器における下部外箱と可動接触子アセンブリを分解して示す斜視図である。
【図３】図１の配線用遮断器における開閉機構、複数の相の可動接触子アセンブリを開閉駆動するシャフト、及び上部リンクの構成を示す斜視図である。
【図４】本発明の好ましい実施形態による可動接触子アセンブリにおける絶縁ホルダー及び１対のホルダー板の構成を示す斜視図である。
【図５】本発明の好ましい実施形態による可動接触子アセンブリを斜め上方から見た斜視図である。
【図６】本発明の好ましい実施形態による可動接触子アセンブリを斜め下方から見た斜視図である。
【図７】本発明の好ましい実施形態による可動接触子アセンブリの第２スプリングホルダーの構成を示す斜視図である。
【図８】図７の第２スプリングホルダーの縦断面図である。
【図９】図７の第２スプリングホルダーの側面図である。
【図１０】本発明の好ましい実施形態による可動接触子アセンブリにおけるターミナルベース、延長板部、たわみ線板及び可動接触子の配置を示す可動接触子アセンブリの下部斜視図である。
【図１１】本発明の好ましい実施形態による可動接触子アセンブリにおける延長板部、たわみ線板、第２スプリング及び可動接触子の配置を示す可動接触子アセンブリの下部正面図である。
【図１２】本発明の好ましい実施形態による可動接触子アセンブリのたわみ線板の構成を示す斜視図である。
【図１３】本発明の好ましい実施形態による可動接触子アセンブリにおける固定接触子に接触した状態の動作状態を示す縦断面図である。
【図１４】本発明の好ましい実施形態による可動接触子アセンブリにおける限流動作中の動作状態を示す縦断面図である。
【図１５】本発明の好ましい実施形態による可動接触子アセンブリにおける限流動作の最終動作状態を示す縦断面図である。
【図１６】従来の限流型配線用遮断器の可動接触子アセンブリの構成を示す外形斜視図である。
【図１７】図１６の可動接触子アセンブリの内部構成を、ホルダーとスプリングホルダーを除去した状態で示す斜視図である。
【図１８】図１６の可動接触子アセンブリの正面図である。
【発明を実施するための形態】
【００２７】
以下、添付図面を参照して、本発明の好ましい実施形態による限流型配線用遮断器の可動接触子アセンブリについて説明する。
【００２８】
まず、図１〜図３を参照して、本発明の好ましい実施形態による可動接触子アセンブリを含む限流型配線用遮断器の構成と動作を説明する。
【００２９】
図１〜図３に示すように、本発明の好ましい実施形態による限流型配線用遮断器は、開閉機構３０、シャフト２１、リンク６、２２ａ、２２ｂ、２２ｃ、可動接触子１１０、下部遮蔽板１９０、ホルダー４、１２０、固定接触子１、上部外箱２０及び下部外箱４０を含む。
【００３０】
開閉機構３０は、周知のように、トリップスプリング又はメインスプリングと呼ばれるスプリング（図示せず）が引っ張られた状態で蓄積した弾性エネルギーを放出し、その放出した弾性エネルギーにより可動接触子１１０を固定接触子１から分離される位置に急速に回動させる駆動機構である。
【００３１】
このために、開閉機構３０は、支持基板を提供する両側板３１ａ、３１ｂ、回路を手動で開閉するための手段を提供するハンドル３２、ハンドル３２の回転支持点を提供するようにハンドル３２の下部に接続されて下部に延びるレバー３３、前記トリップスプリングの駆動力を伝達し、上部リンク部材及び下部リンク部材から構成される第２リンク部材３４、上端部がハンドル３２の下部に接続されて下端部が第２リンク部材３４の上部リンク部材及び下部リンク部材の接続ピンに接続される前記トリップスプリング、前記トリップスプリングが弾性エネルギーを蓄積した状態を維持するようにする拘束位置と前記トリップスプリングが弾性エネルギーを放出するようにする解放位置を有するラッチ３５などを含む。配線用遮断器における開閉機構３０の構成と作用は周知であるのでその詳細な説明は省略する。
【００３２】
シャフト２１は、開閉機構３０に接続されて開閉機構３０の駆動により回動可能であり、可動接触子１１０を回動させる駆動力を与えるための手段である。すなわち、シャフト２１は、開閉機構３０からの駆動力を可動接触子１１０側に伝達するために、交流回路の相毎に設けられる上部リンク、すなわちＲ相の上部リンク２２ｃ、Ｓ相の上部リンク２２ｂ、及びＴ相の上部リンク２２ａを貫通して連結している。Ｒ相の上部リンク２２ｃ、Ｓ相の上部リンク２２ｂ、及びＴ相の上部リンク２２ａとシャフト２１とは、例えば溶接により一体回動可能に接続される。図３を参照すると、Ｓ相の上部リンク２２ｂの長手方向の中間部の駆動ピン接続孔２２ｂ２には駆動ピン（図示せず）が挿入され、前記駆動ピンは、開閉機構３０において前記トリップスプリングの駆動力を伝達する第２リンク部材３４と連結される。よって、開閉機構３０からの駆動力が第２リンク部材３４を介してＳ相の上部リンク２２ｂを回動させ、従って、シャフト２１もＳ相の上部リンク２２ｂと同一方向に回動する。シャフト２１の回動に伴って、シャフト２１に接続された残りのＲ相の上部リンク２２ｃとＴ相の上部リンク２２ａも同一方向に回動する。Ｒ相の上部リンク２２ｃ、Ｓ相の上部リンク２２ｂ、及びＴ相の上部リンク２２ａの回動は、下部リンク６とホルダー４、１２０を介して可動接触子１１０に伝達されて、可動接触子１１０を対応する固定接触子１から分離される開路位置（トリップ位置もしくはオフ位置）又は対応する固定接触子１に接触する閉路位置（投入位置もしくはオン位置）に回動させる。
【００３３】
次に、図３を参照してシャフト２１とその周辺構成をより詳細に説明する。
【００３４】
シャフト２１は、上部外箱２０の幅に相当する長さを有する金属製又は適切な機械的強度を有する合成樹脂製の棒で構成される。シャフト２１の両端部は、残りの中間部分より直径の小さい支持端部２１ａ、２１ｂで構成され、支持端部２１ａ、２１ｂのうち１つの支持端部２１ｂを支持する上部外箱２０のシャフト支持凹部２０ａは、直径が、シャフト２１の支持端部２１ｂの直径より予め定められた遊びの分だけ大きいが、シャフト２１の前記残りの中間部分の直径よりは小さい。よって、シャフト２１が上部外箱２０に設置された状態で軸方向に離脱することを防止することができる。上部外箱２０のシャフト支持凹部２０ａは、本実施形態のように上部外箱２０の片側にのみ形成されてもよく、上部外箱２０の両側にそれぞれ形成されてもよい。
【００３５】
配線用遮断器が３極型配線用遮断器の場合、３つの上部リンク２２ａ、２２ｂ、２２ｃが予め定められた間隔でシャフト２１に設置され、配線用遮断器が４極型配線用遮断器の場合、４つの上部リンクがシャフト２１に設置される。
【００３６】
第１支持片２３ａ及び第２支持片２３ｂは、シャフト２１の両支持端部２１ａ、２１ｂを上方から覆って支持し、シャフト２１の上方への離脱を防止する。シャフト２１の回転を許容すると共にシャフト２１の支持端部２１ａ、２１ｂの上方への離脱を防止するように覆うために、第１支持片２３ａ及び第２支持片２３ｂの中間部分は、上方に膨らんだ形状を有し、支持端部２１ａ、２１ｂの上面との間に遊びを有するように設けられる。第１支持片２３ａ及び第２支持片２３ｂの両端部には、固定ネジ（図示せず）が貫通するようにネジ孔（符号なし）が設けられており、当該ネジ孔から固定ネジを貫通させて第１支持片２３ａ及び第２支持片２３ｂに対応して上部外箱２０に設けられる第２ネジ支持部２０ｂ２及び第１ネジ支持部２０ｂ１に螺合することにより、第１支持片２３ａ及び第２支持片２３ｂが上部外箱２０に位置固定される。
【００３７】
図１〜図３を参照すると、リンク６、２２ａ、２２ｂ、２２ｃは、下部リンク６と上部リンク２２ａ、２２ｂ、２２ｃとを含む。配線用遮断器が３極型配線用遮断器の場合、上部リンク２２ａ、２２ｂ、２２ｃは、前述したように、Ｒ相の上部リンク２２ｃ、Ｓ相の上部リンク２２ｂ、及びＴ相の上部リンク２２ａの３つで構成される。配線用遮断器が４極型配線用遮断器の場合、前記３つの上部リンクに加えて、Ｎ相（中性極）の上部リンクをさらに含む。
【００３８】
前述したように、上部リンク２２ａ、２２ｂ、２２ｃは、開閉機構３０からの駆動力を下部リンク６に伝達する手段であって、シャフト２１に予め定められた間隔をおいて同軸に設置される。
【００３９】
上部リンク２２ａ、２２ｂ、２２ｃのうち、開閉機構３０が駆動接続されるＳ相の上部リンク２２ｂには、図３に示すように、開閉機構３０の第２リンク部材３４と例えば駆動ピンにより接続するための駆動ピン接続孔２２ｂ２が設けられる。よって、駆動ピンにより接続された第２リンク部材３４からの駆動力がＳ相の上部リンク２２ｂに伝達されて、Ｓ相の上部リンク２２ｂが時計方向又は反時計方向に回動すると、シャフト２１によりＳ相の上部リンク２２ｂと同軸に接続された他のＲ相の上部リンク２２ｃとＴ相の上部リンク２２ａも、Ｓ相の上部リンク２２ｂの回動方向と同一方向に回動する。
【００４０】
下部リンク６は、上部リンク２２ａ、２２ｂ、２２ｃからの駆動力をホルダー４、１２０のうち絶縁ホルダー４に伝達する手段であって、上部リンク２２ａ、２２ｂ、２２ｃに対応するように設けられる。また、下部リンク６は、配線用遮断器が３極型配線用遮断器の場合、交流回路の相毎に１対ずつ計６個設けられ、配線用遮断器が４極型配線用遮断器の場合、交流回路の相毎に１対ずつ計８個設けられる。上部リンク２２ａ、２２ｂ、２２ｃにはそれぞれリンクピン接続孔（Ｓ相の上部リンク２２ｂのリンクピン接続孔２２ｂ１を参照）が設けられ、上部リンク２２ａ、２２ｂ、２２ｃはリンクピン（図示せず）により下部リンク６に接続される。
【００４１】
次に、図１〜図３を参照して、可動接触子１１０の構成を説明する。
【００４２】
可動接触子１１０は、固定接触子１に対応するように設けられ、固定接触子１に接触して回路を通電可能に接続する投入位置（オン位置）又は固定接触子１から分離されて回路を遮断するトリップ位置（遮断位置、オフ位置）に回動可能な手段である。可動接触子１１０は、比較的大容量の電流が分流して流れる経路を提供するために、図２に示すような複数の接触子（接触子対）を含む接触子組立体が交流相毎に設けられる。可動接触子１１０を構成する各接触子は、頭部、胴部及び脚部を有する略Ｍ字状に形成された電気的導体板で構成される。
【００４３】
可動接触子１１０を構成する各接触子の頭部には接触子を厚さ方向に貫通するように軸受孔（図示せず）が設けられ、接触子の軸受孔と下部遮蔽板１９０の対応する軸受孔１９０ｄを連通するように整列して当該軸受孔に接続ピン（図示せず）を挿入することにより、下部遮蔽板１９０が可動接触子１１０に接続されるように設置される。可動接触子１１０を構成する各接触子の脚部（後端部）には接続ピン孔（図示せず）が設けられ、当該接続ピン孔に接続ピン（図５の符号２００を参照）を挿入することにより、ターミナルベース１８０に可動接触子１１０が回動可能に支持される。
【００４４】
このように可動接触子１１０を複数の接触子で構成して大きな電流が分流して流れるようにすることにより、可動接触子１１０の通電容量を大きくすることができる。
【００４５】
下部遮蔽版１９０は、可動接触子１１０に接続されて可動接触子１１０と共に回動可能であり、可動接触子１１０の底面から下方に延び、可動接触子１１０が遮断位置に回動すると可動接触子１１０の下部でアークを遮蔽する。よって、可動接触子１１０の接点を基準に、接点の前方側（すなわち、図１で消弧室Ｃ側）を前方、接点の後方側を後方とするとき、下部遮蔽板１９０により、可動接触子１１０の下部で後方に移動するアークが遮断される。
【００４６】
次に、図１〜図４を参照してホルダー４、１２０の構成と機能を説明する。
【００４７】
各ホルダー４、１２０は、下部リンク６と上部リンク２２ａ、２２ｂ、２２ｃのいずれか１つとに接続され、電気的絶縁材で構成されてリンク６、２２ａ、２２ｂ、２２ｃを電気的に絶縁し、リンク６、２２ａ、２２ｂ、２２ｃにより回動することにより可動接触子１１０を回転駆動するための手段である。
【００４８】
ホルダー４、１２０は、絶縁ホルダー４と１対のホルダー板１２０とを含む。
【００４９】
図１〜図４に示すように、絶縁ホルダー４は、電気的絶縁材で構成され、リンク６、２２ａ、２２ｂ、２２ｃ、特に下部リンク６を電気的に絶縁し、リンク６、２２ａ、２２ｂ、２２ｃから伝達される駆動力をホルダー板１２０を介して可動接触子１１０に伝達する手段である。絶縁ホルダー４は、このような機能のために、ホルダー部材５に接続されると共に、リンク６、２２ａ、２２ｂ、２２ｃ、特に下部リンク６に接続され、可動接触子１１０を介して可動接触子１１０の両側に設置される。絶縁ホルダー４は、図４に示すように、予め定められた距離だけ離隔して設けられる第１壁支持部材４ａ及び第２壁支持部材４ａ’を含む。第１壁支持部材４ａ及び第２壁支持部材４ａ’は、相毎に１対ずつ設けられる下部リンク６の下端部とそれぞれ接続ピン（図示せず）により接続される。第１壁支持部材４ａ及び第２壁支持部材４ａ’は、下部リンク６との接続のために、それぞれリンクピン孔４ｃを備える。また、第１壁支持部材４ａ及び第２壁支持部材４ａ’は、ホルダー板１２０との接続のために、ホルダー板１２０の接続口（符号なし）に対応するように接続ピン（図示せず）が挿入される接続口４ｄ、４ｅを備える。
【００５０】
図４に詳細に示すように、第１壁支持部材４ａ及び第２壁支持部材４ａ’の下端部間には、下端部間を横切るように下端遮蔽板部４ｂが設けられ、当該下端遮蔽板部４ｂは、下部遮蔽板１９０よりもさらに下部でアークを遮蔽する手段を提供する。第１壁支持部材４ａ及び第２壁支持部材４ａ’と下端遮蔽板部４ｂは、合成樹脂で形成してもよく、また１つの鋳型で鋳造して製造してもよい。
【００５１】
固定接触子１は、交流電力回路の電源又は負荷側に電気的に接続され、３極型配線用遮断器の場合、例えばＲ相、Ｓ相、Ｔ相の交流三相の相毎に１つずつ計３個設けられてもよいが、本発明の好ましい実施形態においては、相毎に設けられる複数の可動接触子１１０に対応するように、相毎に２つずつ計６個設けられる。通常、主に産業用に用いられる本発明による配線用遮断器は、３極型配線用遮断器、又は接地相（Ｎ極）をさらに含む４極型配線用遮断器で構成されるので、固定接触子１は、相毎に２つずつ計６個又は８個設けられる。図１に示すように、固定接触子１は可動接触子１１０の接点に対応する接点１ａを備える。
【００５２】
固定接触子１の接点１ａに接続されるようにアークランナ１ｂが設けられ、アークランナ１ｂは、大電流の通電中に可動接触子１１０が固定接触子１から分離されたときに可動接触子１１０の接点と固定接触子１の接点１ａ間に発生するアークが消弧室Ｃ側に移動するように誘導する機能を有する。
【００５３】
下部外箱４０は、上部外箱２０と共に、３極型配線用遮断器の場合に３つずつ設けられる可動接触子１１０、固定接触子１及びホルダー４、１２０をそれぞれ相間絶縁されるように隔離して収容する手段である。このために、下部外箱４０は、電気的絶縁性を有する合成樹脂を鋳造して製造してもよく、相間の隔離のために底面から上方に突設される複数の隔壁を有する。上部外箱２０は、下部外箱４０の前記隔壁と対応する数で、対応する水平方向の位置に下方に延設される複数の隔壁を有する。
【００５４】
一方、このように構成される本発明の好ましい実施形態による限流型配線用遮断器の動作を図１及び図２を参照して説明する。
【００５５】
まず、投入動作（オン動作）を説明する。
【００５６】
ハンドル３２が図１の位置から右（時計方向）に回動したオフ位置（遮断位置）から、ハンドル３２を把持してハンドル３２を図１に示すように反時計方向に回動させる。具体的には、ハンドル３２がオフ位置となると、レバー３３にピンにより接続されたラッチ３５は、ハンドル３２及びレバー３３の時計方向の回動に伴って時計方向に回動して、ラッチホルダー（符号なし）により拘束されたリセット状態となるが、この状態、すなわちラッチ３５が拘束されてトリップスプリング（図示せず）が引っ張られて弾性エネルギーを蓄積した状態で、ハンドル３２を図１に示すように反時計方向に回動させる。すると、ハンドル３２に支持された前記トリップスプリングの上端部は、ハンドル３２に応じて反時計方向に回動し、第２リンク部材３４のリンクピンに接続された前記トリップスプリングの下端部は、上端部と中間部及び下端部が直線をなそうとする前記トリップスプリングの弾性復元力により反時計方向に回動する。これに伴って、第２リンク部材３４のリンクピンが反時計方向に回動して、第２リンク部材３４の上部リンク部材及び下部リンク部材は曲げられた状態となる。これにより、第２リンク部材３４の下部リンク部材に下部が接続された上部リンク（図１の符号２２ｂを参照）が時計方向に回動する。すると、前記上部リンクにリンクピン（図示せず）により接続された下部リンク６は反時計方向に回動し、このとき、下部リンク６に接続ピンにより接続された絶縁ホルダー４、絶縁ホルダー４に接続ピンにより接続されたホルダー板１２０、及びホルダー板１２０に接続ピン（図５の符号２００を参照）により接続された可動接触子１１０も、ターミナルベース１８０を支点として反時計方向に回動する。よって、可動接触子１１０が固定接触子１に接触する位置に回動して図１３の状態となる。従って、電源側と負荷側間の回路が接続されて電流が流れる状態となる。
【００５７】
次に、手動オフ操作による遮断動作及び異常電流検出による自動遮断動作（トリップ動作）を説明する。
【００５８】
まず、オン位置からの手動オフ操作による遮断動作を説明する。
【００５９】
オン位置から、ハンドル３２を把持して右（時計方向）に回動させてオフ位置にする。このとき、ラッチ３５は、ラッチホルダー（符号なし）により拘束されたリセット状態を維持する。この状態、すなわちラッチ３５が拘束されてトリップスプリング（図示せず）が引っ張られて弾性エネルギーを蓄積した状態では、ハンドル３２に支持された前記トリップスプリングの上端部は、ハンドル３２に応じて時計方向に回動し、第２リンク部材３４のリンクピンに接続された前記トリップスプリングの下端部は、上端部と中間部及び下端部が直線をなそうとする前記トリップスプリングの弾性復元力により時計方向に回動する。これに伴って、第２リンク部材３４のリンクピンが時計方向に回動して、第２リンク部材３４の上部リンク部材及び下部リンク部材は伸びた状態となる。これにより、第２リンク部材３４の下部リンク部材に下部が接続された上部リンク（図１の符号２２ｂを参照）が反時計方向に回動する。すると、前記上部リンクにリンクピン（図示せず）により接続された下部リンク６は時計方向に回動し、このとき、下部リンク６に接続ピンにより接続された絶縁ホルダー４、絶縁ホルダー４に接続ピンにより接続されたホルダー板１２０、及びホルダー板１２０に接続ピン（図５の符号２００を参照）により接続された可動接触子１１０も、ターミナルベース１８０を支点として時計方向に回動する。よって、ホルダー板１２０と接続ピン２００により同軸接続されている可動接触子１１０が固定接触子１から分離される位置に時計方向に回動して図１の状態となる。従って、電源側と負荷側間の回路が遮断されて電流が流れない状態となる。
【００６０】
次に、自動遮断動作（トリップ動作）を説明する。
【００６１】
オン状態で、回路に短絡電流などの異常電流（事故電流）が発生すると、電磁石やアーマチュアなどから構成されたトリップ機構（図示せず）がこれを検出して開閉機構３０をトリガする。
【００６２】
すると、前記ラッチホルダーがラッチ３５を解放することにより、ラッチ３５が図１の状態から反時計方向に回動し、前記トリップスプリングは引っ張られた状態から元の状態に収縮して蓄積した弾性エネルギーを放出し、従って、前記トリップスプリングの下端部が上方に移動して、前記トリップスプリングの下端部に接続された第２リンク部材３４のリンクピンを上方に引き上げる。すると、第２リンク部材３４の上部リンク部材及び下部リンク部材が伸び、第２リンク部材３４の下部リンク部材に接続された上部リンク（図１の符号２２ｂを参照）が反時計方向に回動する。すると、前記上部リンクにリンクピン（図示せず）により接続された下部リンク６は時計方向に回動し、このとき、下部リンク６に接続ピンにより接続された絶縁ホルダー４、絶縁ホルダー４に接続ピンにより接続されたホルダー板１２０、及びホルダー板１２０に接続ピン（図５の符号２００を参照）により接続された可動接触子１１０も、ターミナルベース１８０を支点として時計方向に回動する。よって、可動接触子１１０が固定接触子１から分離される位置に時計方向に回動して図１の状態となる。従って、電源側と負荷側間の回路が遮断されて電流が流れない状態となる。
【００６３】
一方、本発明の好ましい実施形態による限流型配線用遮断器の限流動作を図１及び図２を参照して説明する。
【００６４】
可動接触子１１０が固定接触子１に接触する位置、すなわちオン位置で、回路に短絡電流などの大きな事故電流が発生すると、前記のようにトリップ機構がこれを感知して開閉機構３０をトリガすることでトリップ動作させる前に、可動接触子１１０を介して流れる電流の方向（図１で右方向）と固定接触子１の接点１ａを介して流れる電流の方向（図１で左方向）が反対であるため、可動接触子１１０と固定接触子１の周囲に同一方向の大きな磁気反発力、すなわち電磁反発力が発生する。このような電磁反発力は、開閉機構３０とリンク６、２２ａ、２２ｂ、２２ｃ及びホルダー４、１２０を介した駆動力の伝達とは関係なく、独立して可動接触子１１０を対応する固定接触子１から分離される方向に回動させる。このような動作を限流動作といい、限流動作を行った状態が図１の状態である。図１に示すように、限流動作時、開閉機構３０とリンク６、２２ａ、２２ｂ、２２ｃ及びホルダー４、１２０はオン状態での位置を維持する。
【００６５】
一方、前述した限流型配線用遮断器に用いることのできる、本発明の好ましい実施形態による限流型配線用遮断器の可動接触子アセンブリの構成と動作を図５〜図１５を参照して説明する。
【００６６】
本発明の好ましい実施形態による限流型配線用遮断器の可動接触子アセンブリは、ターミナルベース１８０、可動接触子１１０、ホルダー板１２０、複数の第１スプリング１４０、複数の延長板部１８１、１８３、１８５、複数のたわみ線板１７０及び第２スプリングＰＳ１、ＰＳ２を含む。
【００６７】
ターミナルベース１８０は電気的導電体で形成される。また、ターミナルベース１８０は、可動接触子１１０が回動可能に支持されるように、支持基台を提供する。また、ターミナルベース１８０は、図１及び図２を参照すると、前記限流型配線用遮断器の下部外箱４０に固定設置される。
【００６８】
可動接触子１１０は、ターミナルベース１８０に接続ピン２００により接続され、交流の各相毎に複数設けられる。可動接触子１１０は、図６に示すように、カム面部１１０ａ−１を有する。可動接触子１１０は、前記配線用遮断器が接続された回路に事故電流が発生すると、電磁反発力により前記配線用遮断器の限流型固定接触子１から分離される方向に回動する。
【００６９】
１対のホルダー板１２０は、図５及び図６に示すように、ターミナルベース１８０に接続ピン２００により接続され、可動接触子１１０を両側から支持する。１対のホルダー板１２０は、接続ピン２００を中心に可動接触子１１０と共に回動可能である。また、各ホルダー板１２０は、図６に示すように、細い四角垂直ホール１２０ａ、ピンホール１２０ｂ及び接続ピンホール１２０ｃを含む。
【００７０】
図６に示すように、複数の第１スプリング１４０は、１対のホルダー板１２０間に設けられ、前記配線用遮断器が閉路状態のときには可動接触子１１０に限流型固定接触子１と接触する方向に付勢力を与え、前記配線用遮断器が限流動作を行うときには可動接触子１１０に限流型固定接触子１から分離される方向に付勢力を与える。複数の第１スプリング１４０は、本発明の好ましい実施形態による限流型配線用遮断器の可動接触子アセンブリにさらに含まれる第１スプリングホルダー１３０と第２スプリングホルダー１５０により両端部が支持される。
【００７１】
複数の延長板部１８１、１８３、１８５は、図１０に詳細に示すように、ターミナルベース１８０から延設される部分である。複数の延長板部１８１、１８３、１８５とターミナルベース１８０とは、金型により一体に製造してもよく、複数の延長板部１８１、１８３、１８５を別途に製造し、その後ターミナルベース１８０に溶接して一体にしてもよい。よって、複数の延長板部１８１、１８３、１８５は、前記配線用遮断器の下部外箱４０上に固定されるターミナルベース１８０と共に位置固定される。複数の延長板部１８１、１８３、１８５は、可動接触子１１０の一端部１１０ａ、１１０ｂの側面と対向して設けられ、可動接触子１１０と電気的に接続される。
【００７２】
図１０及び図１２を参照すると、複数のたわみ線板１７０は、第１たわみ線板１７１と第２たわみ線板１７３とから構成される。
【００７３】
第１たわみ線板１７１及び第２たわみ線板１７３は、下部の固定部１７１ａ、１７３ｂと、上部の可撓部１７１ｂ、１７３ａとを含む。
【００７４】
固定部１７１ａ、１７３ｂは、ターミナルベース１８０に溶接されて固定される部分である。
【００７５】
可撓部１７１ｂ、１７３ａは、それぞれ固定部１７１ａ、１７３ｂから延設され、可動接触子１１０と延長板部１８１、１８３、１８５との間に挿入されて可動接触子１１０とターミナルベース１８０を電気的に接続する部分であって、可動接触子１１０側又は延長板部１８１、１８３、１８５側に曲げられる部分である。
【００７６】
第１たわみ線板１７１及び第２たわみ線板１７３は、複数の束の導電材たわみ線を板状に製織した板で構成されてもよく、図１２に示すように、可撓部１７１ｂ、１７３ａに接続ピン２００の貫通を許容する貫通孔を有する。
【００７７】
第２スプリングＰＳ１、ＰＳ２は、図１１に示すように、延長板部１８１、１８５と複数のたわみ線板１７０（１７１、１７３）との間に設置され、可動接触子１１０の一端部１１０ａ、１１０ｂに密着するように、複数のたわみ線板１７０に付勢力を与える。第２スプリングＰＳ１、ＰＳ２は、ベルビルスプリング（もしくは、ベルビルワッシャ）又はウェーブワッシャで構成されてもよい。
【００７８】
第１スプリングホルダー１３０は、図６に示すように、１対のホルダー板１２０により支持され、第１スプリング１４０の一端部を支持する。第１スプリングホルダー１３０は、第１板部と、当該第１板部から直角に折曲されて延びる延長部とを含む。また、第１スプリングホルダー１３０は、前記延長部の両側からそれぞれ延びてホルダー板１２０に挿入及び支持される１対の支持突部１３０ａをさらに含む。また、第１スプリングホルダー１３０は、前記第１板部から突出するように延びて第１スプリング１４０の一端部を支持する第１スプリング支持突部（図示せず）をさらに含んでもよい。当該第１スプリング支持突部は、前述した従来のスプリング支持ピン（図１７の符号１５を参照）に比べて短く、第１スプリングホルダー１３０の第１板部から突出する突出部であるため、第１スプリングホルダー１３０をプレスで製造する際、第１スプリングホルダー１３０と一体に製造することができ、第１スプリング１４０の付勢力にも耐えられる機械的強度を有する。
【００７９】
第２スプリングホルダー１５０は、図６〜図９に示すように、１対のホルダー板１２０に両端部が挿入される支持ピン１５３により支持されて回動可能である。第２スプリングホルダー１５０は、第１スプリング１４０の他端部を支持し、第１スプリング１４０からの付勢力を可動接触子１１０に伝達する。
【００８０】
特に、図７を参照すると、第２スプリングホルダー１５０は、１対の側面板部１５０ａ、１５０ｂと、１対の側面板部１５０ａ、１５０ｂを横方向に連結する連結板部１５０ｃと、連結板部１５０ｃ上に設けられて第１スプリング１４０の他端部を支持する複数のスプリング支持突部１４５とを含む。
【００８１】
図６〜図９に示すように、本発明の好ましい実施形態による限流型配線用遮断器の可動接触子アセンブリは、ローラ１５５をさらに含む。
【００８２】
ローラ１５５は、第２スプリングホルダー１５０の１対の側面板部１５０ａ、１５０ｂ間に回転可能に支持される。ローラ１５５は、第１スプリング１４０の付勢力を可動接触子１１０のカム面部１１０ａ−１に伝達する手段である。ローラ１５５は、ローラ軸（符号なし）と、前記ローラ軸により支持されて回転可能であり、可動接触子１１０のカム面部１１０ａ−１に接触するローラ部（符号なし）とを含み、ここで、ローラ軸は、図６に示すように、第２スプリングホルダー１５０の側面から突出して延びるように構成されてもよく、図７及び図８に示すように、第２スプリングホルダー１５０の側面、すなわち側面板部１５０ａ、１５０ｂから外側に突出しないように構成されてもよい。
【００８３】
このような構成により、可動接触子１１０が回動すると、ローラ１５５は可動接触子１１０のカム面部１１０ａ−１に接触して回動する。カム面部１１０ａ−１は、前述した従来の接触面（図１６の符号１１ａを参照）と同様の構成であって、傾斜面及び曲面部を含み、ローラ１５５がカム面部１１０ａ−１中の傾斜面下端部及び曲面部に接触すると、第１スプリング１４０は伸張し、可動接触子１１０が図６において時計方向に回動するように回転モーメントを与える（ここで、時計方向は、可動接触子１１０が固定接触子（図示せず）に接触する方向である）。ローラ１５５がカム面部１１０ａ−１中の傾斜面上端部に近づくほど、第１スプリング１４０は圧縮され、可動接触子１１０に与える回転モーメントは減少する。ローラ１５５がカム面部１１０ａ−１中の傾斜面上端部に近づくと、第１スプリングホルダー１３０と第２スプリングホルダー１５０との距離が短くなり、第１スプリングホルダー１３０と第２スプリングホルダー１５０との間に位置する第１スプリング１４０は圧縮される。
【００８４】
また、第１スプリングホルダー１３０と第２スプリングホルダー１５０は、プレス加工で製造してもよい。このように、本発明による可動接触子アセンブリは、スプリング支持機構を製造が簡単なプレスによる部品で構成しており、従来のように旋盤により切削加工して製造した加工物で構成するスプリング支持機構に比べて、生産コストと時間が低減されるという利点がある。
【００８５】
本発明の好ましい実施形態による限流型配線用遮断器の可動接触子アセンブリは、図４に詳細に示すように、電気的絶縁材からなる絶縁ホルダー４をさらに含む。
【００８６】
絶縁ホルダー４は、１対のホルダー板１２０に接続されてホルダー板１２０と共に回動可能であり、よって、可動接触子１１０とも共に回動可能である。絶縁ホルダー４のより詳細な構成と機能については、図１〜図４を参照して前述したので重複説明を避けるためにその説明を省略する。
【００８７】
図５及び図６を参照すると、本発明の好ましい実施形態による限流型配線用遮断器の可動接触子アセンブリは、ターミナルベース１８０に固定され、可動接触子１１０の回転限界を決定するキャッチ１６０をさらに含む。キャッチ１６０の構成と機能は、従来のキャッチ（図１６の符号１６を参照）と同様であるのでより詳細な説明は省略する。
【００８８】
一方、本発明の好ましい実施形態による限流型配線用遮断器の可動接触子アセンブリの動作を図１３〜図１５を参照して説明する。
【００８９】
まず、図１、図２及び図１３を参照して、本発明の好ましい実施形態による可動接触子アセンブリの閉路動作を説明する。
【００９０】
ハンドル３２が図１の位置から右（時計方向）に回動したオフ位置（遮断位置）から、ハンドル３２を把持してハンドル３２を図１に示すように反時計方向に回動させる。これにより、第２リンク部材３４の下部リンク部材に下部が接続された上部リンク（図１の符号２２ｂを参照）が時計方向に回動する。すると、前記上部リンクにリンクピン（図示せず）により接続された下部リンク６は反時計方向に回動し、このとき、下部リンク６に接続ピンにより接続された絶縁ホルダー４、絶縁ホルダー４に接続ピンにより接続されたホルダー板１２０、及びホルダー板１２０に接続ピン（図５の符号２００を参照）により接続された可動接触子１１０も、ターミナルベース１８０を支点として反時計方向に回動する。よって、可動接触子１１０が固定接触子１に接触する位置に回動して図１３の状態となる。従って、電源側と負荷側間の回路が接続されて電流が流れる状態となる。
【００９１】
このとき、図１３に示すように、第１スプリング１４０の付勢力Ｓ１が第２スプリングホルダー１５０を介してローラ（図６の符号１５５を参照）が可動接触子１１０に与える接触圧力Ｒ１として作用する。可動接触子１１０の回転支持点である接続ピン２００の中心から接触圧力Ｒ１の作用線までの直線距離、すなわちモーメントアームの長さはＭ１となり、従って、接触圧力Ｒ１とモーメントアームの長さＭ１の積で求められるモーメントは可動接触子１１０を反時計方向に回動させるように作用して、可動接触子１１０は接触圧力Ｒ１により対応する固定接触子１に接触した状態を維持する。
【００９２】
次に、図１、図２、図１４及び図１５を参照して、本発明の好ましい実施形態による可動接触子アセンブリの限流動作を説明する。
【００９３】
可動接触子１１０が固定接触子１に接触する位置、すなわちオン位置で、配線用遮断器が接続された回路に短絡電流などの大きな事故電流が発生すると、前記のようにトリップ機構がこれを感知して開閉機構３０をトリガすることでトリップ動作させる前に、可動接触子１１０と固定接触子１の周囲に同一方向の大きな磁気反発力、すなわち電磁反発力が発生する。このような電磁反発力は、開閉機構３０とリンク６、２２ａ、２２ｂ、２２ｃ及びホルダー４、１２０を介した駆動力の伝達とは関係なく、独立して可動接触子１１０を対応する固定接触子１から分離される方向に回動させる。すなわち、限流動作が行われる。
【００９４】
このような限流動作中の本発明の好ましい実施形態による可動接触子アセンブリの動作状態を示すのが図１４である。
【００９５】
図１４を参照すると、電磁反発力により可動接触子１１０が固定接触子１から分離される方向に回動することにより、第１スプリング１４０の付勢力Ｓ２が第２スプリングホルダー１５０を介してローラ（図６の符号１５５を参照）が可動接触子１１０に与える接触圧力Ｒ２として作用する。可動接触子１１０の回転支持点である接続ピン２００の中心から接触圧力Ｒ２の作用線までの直線距離、すなわちモーメントアームの長さは、Ｍ２で示すように接続ピン２００の中心に近づくほど短くなる。従って、可動接触子１１０を反時計方向に回動させる接触圧力Ｒ２によるモーメント、すなわち、接触圧力Ｒ２とモーメントアームの長さＭ２の積で求められるモーメントは急減する。
【００９６】
図１５は、本発明の好ましい実施形態による可動接触子アセンブリにおける限流動作の最終動作状態を示す縦断面図である。
【００９７】
図１５を参照すると、限流動作の最終動作状態では、電磁反発力により可動接触子１１０が固定接触子１から最大に分離される位置に回動し、第１スプリング１４０の付勢力Ｓ３は第２スプリングホルダー１５０を介してローラ（図６の符号１５５を参照）が可動接触子１１０に与える接触圧力Ｒ３として作用する。このとき、接触圧力Ｒ３は、可動接触子１１０の回転支持点である接続ピン２００の中心を通り、モーメントアームの長さは０（ゼロ）となる。従って、可動接触子１１０を反時計方向に回動させる接触圧力Ｒ３によるモーメント、すなわち、接触圧力Ｒ３とモーメントアームの長さの積で求められるモーメントは０（ゼロ）となり、可動接触子１１０は図１５のように固定接触子１から最大に分離された位置で停止する。
【符号の説明】
【００９８】
１１０    可動接触子
１２０    ホルダー板
１３０    第１スプリングホルダー
１４０    第１スプリング
１５０    第２スプリングホルダー
１５５    ローラ
ＰＳ１、ＰＳ２    第２スプリング
１７０    たわみ線板
１８０    ターミナルベース
１８１、１８３、１８５    延長板部
【図１】
2011151023.tif 000003
【図２】
2011151023.tif 000004
【図３】
2011151023.tif 000005
【図４】
2011151023.tif 000006
【図５】
2011151023.tif 000007
【図６】
2011151023.tif 000008
【図７】
2011151023.tif 000009
【図８】
2011151023.tif 000010
【図９】
2011151023.tif 000011
【図１０】
2011151023.tif 000012
【図１１】
2011151023.tif 000013
【図１２】
2011151023.tif 000014
【図１３】
2011151023.tif 000015
【図１４】
2011151023.tif 000016
【図１５】
2011151023.tif 000017
【図１６】
2011151023.tif 000018
【図１７】
2011151023.tif 000019
【図１８】
2011151023.tif 000020